(57)【要約】【課題】展望用エレベータにおいて、かごの透明窓部から釣り合い錘が視認されないようにする。【解決手段】展望用エレベータは、少なくとも一壁面が透明壁部３０として形成される昇降路１６内に配置され、透明壁部３０に対向する展望用透明窓部２８を有するかご１８と、ロープ２０を介してかご１８に連結され、かご１８の透明窓部２８が対向する所定位置でかご１８に対してすれ違い移動する釣り合い錘２２と、前記所定位置でかご１８の透明窓部２８と釣り合い錘２２との間に位置するよう昇降路１６内に固定される表示装置３２と、釣り合い錘２２がなければ前記所定位置でかご１８の透明窓部２８から透明壁部３０を介して展望可能な風景を撮影する撮影装置３６と、撮影装置３６によって撮影された風景画像をかご１８と釣り合い錘２２とがすれ違うときに表示装置３２に表示させる制御を実行する制御部３８と、を備える。【選択図】図２
2009249095.tif 000002
【特許請求の範囲】
【請求項１】
少なくとも一壁面が透明壁部として形成される昇降路内に配置され、透明壁部に対向する展望用透明窓部を有するかごと、ロープを介してかごに連結され、かごの透明窓部が対向する所定位置でかごに対してすれ違い移動する釣り合い錘と、前記所定位置でかごの透明窓部と釣り合い錘との間に位置するよう昇降路内に固定される表示装置と、釣り合い錘がなければ前記所定位置でかごの透明窓部から透明壁部を介して展望可能な風景を撮影する撮影装置と、撮影装置によって撮影された風景画像をかごと釣り合い錘とがすれ違うときに表示装置に表示させる制御を実行する制御部と、を備える展望用エレベータ。
【請求項２】
請求項１に記載の展望用エレベータにおいて、
表示装置は、かごの透明窓部と少なくとも同等の大きさを有することを特徴とする展望用エレベータ。
【請求項３】
請求項１または２に記載の展望用エレベータにおいて、
表示装置は、液晶表示パネル、プラズマ表示パネル、有機ＥＬ表示パネル、または、ＳＥＤパネルで構成されることを特徴とする展望用エレベータ。
【発明の詳細な説明】
【技術分野】
【０００１】
本発明は、展望用エレベータに係り、特に、かごの透明窓部の対向位置を釣り合い錘がすれ違うタイプの展望用エレベータに関する。
【背景技術】
【０００２】
従来、かごの少なくとも一部の壁面を透明窓部とし、かごが配置される昇降路においてかごの透明窓部が対向する壁面を透明壁部として形成することで、かご内の乗客が透明窓部および透明壁部を介して外部の風景または景色を展望できるようにした展望用エレベータが知られている。
【０００３】
また、エレベータにおいては、一般に、かごの上部に一端部が連結されたロープが巻上機によって巻き上げまたは巻き降ろしされることで、かごが昇降路内を昇降移動するようになっているが、巻上機の作動負荷を軽減するために、かごから巻上機を介して延伸するロープの他端部には釣り合い錘に連結されている。この釣り合い錘は、昇降路内においてかごの移動方向とは逆方向にすれ違い移動する。
【０００４】
上記のような展望用エレベータにおいて、かごの透明窓部に対向する位置で上記釣り合い錘がすれ違うとき、かご内の乗客は透明窓部に突然出現するように見える釣り合い錘に驚きを覚える場合がある。また、釣り合い錘の側面の大きさがかごの透明窓部にほぼ匹敵するような場合には、釣り合い錘とのすれ違い時に短時間ではあるがかごの透明窓部を介しての眺望が完全に妨げられてしまうことになる。
【０００５】
ここで、特許文献１には、昇降路の透明壁部を介して建物外部から視認できる釣り合い錘の側面に広告を付すことで、釣り合い錘を広告宣伝手段として利用するようにしたものが開示されている。
【０００６】
【特許文献１】特開２００３−２４６５６７号公報
【発明の開示】
【発明が解決しようとする課題】
【０００７】
上記特許文献１に開示されるエレベータの釣り合い錘は、エレベータが設置される建物の外部にいる人に対して広告宣伝機能を果たせるが、上述したような展望用エレベータにおいてかご内の乗客にとっては眺望の妨げになることには変わりはない。
【０００８】
本発明の目的は、かごの透明窓部から釣り合い錘が視認されないようにする展望用エレベータを提供することにある。
【課題を解決するための手段】
【０００９】
本発明に係る展望用エレベータは、少なくとも一壁面が透明壁部として形成される昇降路内に配置され、透明壁部に対向する展望用透明窓部を有するかごと、ロープを介してかごに連結され、かごの透明窓部が対向する所定位置でかごに対してすれ違い移動する釣り合い錘と、前記所定位置でかごの透明窓部と釣り合い錘との間に位置するよう昇降路内に固定される表示装置と、釣り合い錘がなければ前記所定位置でかごの透明窓部から透明壁部を介して展望可能な風景を撮影する撮影装置と、撮影装置によって撮影された風景画像をかごと釣り合い錘とがすれ違うときに表示装置に表示させる制御を実行する制御部と、を備える。
【００１０】
本発明に係る展望用エレベータにおいて、表示装置は、かごの透明窓部と少なくとも同等の大きさを有することが好ましい。
【００１１】
また、本発明に係る展望用エレベータにおいて、表示装置は、液晶表示パネル、プラズマ表示パネル、有機ＥＬ表示パネル、または、ＳＥＤ(Surface-conduction Electron-emitter Display)パネルで構成されることが好ましい。
【発明の効果】
【００１２】
本発明に係る展望用エレベータによれば、釣り合い錘がなかったらかご内から見えるであろう風景を撮影装置で撮影して、その景色画像をかごと釣り合い錘とのすれ違い時に表示装置に表示させることで、かご内の乗客からは透明窓部を介して表示装置に表示される風景画像が視認されることになる。これにより、かごの透明窓部を介しての眺望が妨げられることがなく、かつ、釣り合い錘が透明窓部に突然出現するように見えることで乗客を驚かせることもなくなる。
【発明を実施するための最良の形態】
【００１３】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。
【００１４】
図１は本発明の一実施形態である展望用エレベータ（以下、単に「エレベータ」という）１０を概略的に示す図であり、図２は図１におけるＡ−Ａ線断面図である。エレベータ１０は、建物１２内を上下方向に貫通して延びる昇降路１６内に配置されるかご１８を備える。かご１８の上部には、３本のワイヤ製のロープ２０の各一端部が連結されている。ロープ２０は、建物１２の上部に位置する機械室に設置される巻上機の綱車（図示せず）に巻き掛けられて、その他端部に釣り合い錘２２が連結されている。
【００１５】
巻上機によってロープ２０が巻き上げまたは巻き降ろしされることによって、かご１８は昇降路１６内を昇降移動する。このとき、釣り合い錘２２は、かご１８の移動方向とは逆方向に昇降移動することになる。ロープ２０の長さは一定であるため、かご１８と釣り合い錘２２とが昇降路１６内ですれ違う位置はおのずと決まった所定位置となる。釣り合い錘２２は、細長い長方形状の鉄塊を複数積み重ねた状態で固定して構成されており、そのかご対向側面は上記所定位置においてかご１８からの外部の展望を阻害するのに十分な大きさを有している。
【００１６】
かご１８は、矩形筐体状をなす構造物であって、各階床の乗場に設けられる乗場扉に対向する壁部にかご扉２６が設けられている。かご扉２６は、かご１８上に設置される図示しない扉駆動装置によって開閉駆動され、これに従動して各階床の乗場扉２４も開閉駆動されるようになっている。かご２６および乗場扉２４は、両開き式または片開き式の２枚扉で構成されることができる。
【００１７】
かご１８において、かご扉２６に対向する壁部は、ガラスやアクリル樹脂等の透明材料からなる展望用の透明窓部２８になっている。本実施形態では、透明窓部２８は、かご１８の一壁部のほぼ全体を占めるような幅および高さを有している。ただし、透明窓部２８の大きさは、適宜に設計され得るものであり、例えばかご１８内の高さ方向に関して上側半分程度の領域を占めるよう形成されてもよい。
【００１８】
かご１８の透明窓部２８に対向する昇降路１６の一壁面は、ガラスやアクリル樹脂等の透明材料からなる透明壁部３０として形成されている。透明壁部３０は、建物１２の外部に臨んで配置されている。これにより、かご１８内の乗客は、かご１８の透明窓部２８および建物１２の透明壁部３０を介して外部の風景を展望できるようになっている。
【００１９】
かご１８と釣り合い錘２２とがすれ違う所定位置において、かご１８と釣り合い錘２２との間には、表示装置３２が配置されている。表示装置３２は、水平方向両端部において昇降路１６の壁面にブラケット３４（図２では一方のみ図示）によって固定されている。また、表示装置３２には、例えば液晶パネル、プラズマ表示パネル、有機ＥＬ表示パネル、ＳＥＤパネル等を含んで構成される薄型の表示装置が好適に用いられる。
【００２０】
本実施形態において表示装置３２は、かご１８の透明窓部２８と略同等の高さおよび幅を有している。これにより、かご１８と釣り合い錘２２とがすれ違うときに、表示装置３２によって、かご１８内の乗客が透明窓部２８から釣り合い錘２２を視認できないようにしている。ただし、かご１８内の乗客が透明窓部２８から釣り合い錘２２を視認できないようにする機能を果たせれば、表示装置３２の縦および横の寸法は、透明窓部２８のそれらよりも小さく形成されてもよい。
【００２１】
表示装置３２の近傍であって昇降路１６の側壁には、透明壁部３０を介して外部の風景を撮影する撮影装置３６が設置されている。撮影装置３６は、釣り合い錘２２とのすれ違い時に釣り合い錘がなかったとしたらかご１８内の乗客が透明窓部２８から見えるであろう外部風景を撮影するものである。撮影装置３６によって撮影された風景画像は、制御部３８によって表示装置３２に少なくとも上記すれ違い時のタイミングで表示される制御が実行されるようになっている。なお、本実施形態では、制御部３８は、昇降路１６の壁面に設置さえるものとして図示されるが、エレベータ１０全体の制御を司るエレベータ制御盤の一部として構成されてもよい。
【００２２】
続いて、上記構成からなるエレベータ１０の動作について図３，４も参照して説明する。
【００２３】
エレベータ１０において、表示装置３２が設置されていなかったとしたら、図３に示すように、かご１８と釣り合い錘２２とのすれ違い時にかご１８の透明窓部２８からは短時間ではあるが釣り合い錘２２の側面だけが視認され、外部風景の展望が完全に妨げられてしまうことになる。また、かご１８の乗客１にとっては、かご１８と釣り合い錘２２とのすれ違い時の相対速度がかなり速いために透明窓部２８に釣り合い錘２２が突然に出現する印象があり、そのために驚きを覚える又はびっくりする乗客もいる。
【００２４】
しかし、本実施形態のエレベータ１０では、少なくともかご１８と釣り合い錘２２とがすれ違うとき、撮影装置３６により撮影された風景画像が表示装置３２に表示される。これにより、図４に示すように、かご１８内の乗客１には、透明窓部２８を介して釣り合い錘２２ではなく表示装置３２に映し出された風景画像が視認される。したがって、エレベータ１０によれば、かご１８の透明窓部２８を介しての眺望が釣り合い錘２２によって妨げられることがなく、かつ、釣り合い錘２２が透明窓部２８に突然出現するように見えることもなく乗客１を驚かせることもない。
【００２５】
また、本実施形態では、撮影装置３６によって撮影されるリアルタイムの風景画像が表示装置３２に表示されるため、季節、天候、昼夜、街並み等の変化にも適宜に対応することができ、かご１８内の乗客１が表示装置３２に映し出される風景画像に違和感を覚えることもない。
【００２６】
なお、上記エレベータ１０では、かご１８の一壁面が透明窓部２８として形成されるかご１８を備えるものとして例示したが、本発明の展望用エレベータはこれに限定されるものではなく、本発明の技術的範囲を逸脱しない限りにおいて種々の変更および改良が可能である。
【００２７】
例えば、図５に示すように、かご１８においてかご扉２６が設置される壁面を除く三方の壁面が透明窓部２８として形成されており、昇降路１６を構成する三方の壁面も透明壁部３０として形成されている展望用エレベータに本発明が適用されてもよい。この場合、かご１８の１つの透明窓部２８と釣り合い錘２２との間であって上記すれ違い位置に表示装置３２を設置するとともに、釣り合い錘２２がなかったとしたらかご１８の上記１つの透明窓部２８を介して見えるであろう外部風景を撮影する撮影装置３６を表示装置３２の近傍に配置すればよい。
【００２８】
また、上記においては、かご１８は矩形状筐体をなすものとして説明したが、かごの形状は一部が円筒面のような湾曲面を含んで構成される筐体状をなしていてもよい。
【図面の簡単な説明】
【００２９】
【図１】本発明の一実施形態である展望用エレベータの概略構成図である。
【図２】図１におけるＡ−Ａ線断面図である。
【図３】かごの透明窓部からの眺望が釣り合い錘によって妨げられている様子を示す図である。
【図４】かごの透明窓部を介して表示装置に映し出される風景画像が見えることで釣り合い錘によって眺望が妨げられない様子を示す図である。
【図５】三方壁面が透明窓部として形成されたがごを備える展望用エレベータへの適用例を示す図である。
【符号の説明】
【００３０】
１  乗客、１０  エレベータ、１２  建物、１６  昇降路、１８  かご、２０  ロープ、２２  釣り合い錘、２４  乗場扉、２６  かご扉、２８  透明窓部、３０  透明壁部、３２  表示装置、３４  ブラケット、３６  撮影装置、３８  制御部。
【図１】
2009249095.tif 000003
【図２】
2009249095.tif 000004
【図３】
2009249095.tif 000005
【図４】
2009249095.tif 000006
【図５】
2009249095.tif 000007